(57)【要約】【課題】本発明は、１本の工具で複数種のネジの締結に対応可能であり、簡単な構造で、保管及び携帯に便利な複数種対応締結工具及びビットを提供することを目的とする。【解決手段】本実施形態に係る複数種対応締結工具１００は、先端がネジの頭に嵌合する形状の作業部１ａ、１ｂ、１ｃ１、１ｃ２、１ｅ及び後端が作業部１ａ、１ｂ、１ｃ１、１ｃ２、１ｅと同種の形状のものを収容可能な収容部３を設けた軸部２を有し、縦列に着脱自在に連接できる複数個のビット１０ａ、１０ｂ、１０ｃ１、１０ｃ２、１０ｅと、軸部２に嵌合する装着部９ａを有し、ビット１０ａ、１０ｂ、１０ｃ１、１０ｃ２、１０ｅを装着するハンドル９と、を備える。【選択図】図２
2011140087.tif 000002
【特許請求の範囲】
【請求項１】
先端がネジの頭に嵌合する形状の作業部及び後端が前記作業部と同種の形状のものを収容可能な収容部を設けた軸部を有し、縦列に着脱自在に連接できる複数個のビットと、
前記軸部に嵌合する装着部を有し、前記ビットを装着するハンドルと、
を備える複数種対応締結工具。
【請求項２】
前記収容部は、特定の前記作業部に嵌合する形状であることを特徴とする請求項１に記載の複数種対応締結工具。
【請求項３】
前記作業部と前記収容部とが異なる磁極を有することを特徴とする請求項１又は２に記載の複数種対応締結工具。
【請求項４】
前記ビットは、前記軸部の側面に出入り自在な突起部を有し、
連接した複数の前記ビットを収容し、前記突起部と嵌合する掛止部を有する筒状カバーを更に備えることを特徴とする請求項１〜３のいずれかに記載の複数種対応締結工具。
【請求項５】
先端がネジの頭に嵌合する形状の作業部及び後端が前記作業部と同種の形状のものを収容可能な収容部を設けた軸部を有し、縦列に着脱自在に連接できるビット。
【請求項６】
前記作業部と前記収容部とが異なる磁極を有することを特徴とする請求項５に記載のビット。
【請求項７】
前記軸部の側面に出入り自在な突起部を有することを特徴とする請求項５又は６に記載のビット。
【発明の詳細な説明】
【技術分野】
【０００１】
本発明は、複数種のネジの取り付け又は取り外しに対応できる締結工具及びビットに関する。
【背景技術】
【０００２】
ネジの取り付け又は取り外し作業（以下、締結作業という。）は、ドライバーなどの締結工具の先端をネジの頭部に形成された溝に嵌合させてネジを回転させたり、スパナなどの締結工具をネジの頭部に嵌合させてネジを回転させたりして行われている。ネジの頭部に形成された溝、ネジの頭部など締結工具の先端を嵌合させる部分の形状及びサイズは多岐にわたる。ネジの頭部に形成された溝は、例えば、すりわり（マイナス）、十字穴（プラス）、プラスマイナス穴、六角穴、四角穴、三角穴、ヘクスグローブ穴が挙げられる。また、ネジの頭部は、例えば、六角頭、四角頭が挙げられる。これらの締結作業に対応した締結工具の先端形状も多岐に渡る。例えば、マイナス形、プラス形、六角形、三角形、ヘクスグローブ形、六角穴形が挙げられる。
【０００３】
近年、機械は複雑化され、部品数が増えている。多くの部品からなる機械を組み立て又は分解する作業において、上記のような形状及びサイズの異なる複数の締結工具を用いて作業を行うことがある。図８（ａ）に示すように、ネジの種類に応じて複数本の締結工具を使用する場合には、作業性に劣るばかりか、保管及び携帯に不便である。また、図８（ｂ）に示すように、種類に応じた多数のビットを使用する場合には、ビットを紛失し易いという問題があった。
【０００４】
そこで、１本の締結工具に複数種の差し替え可能なビットを使用して作業効率を向上させる技術が提案されている（例えば、特許文献１又は２を参照。）。
【０００５】
特許文献１には、柄部の先端に第一ビット部を設け、この第一ビット部の先端に連結体を連設し、この連結体の先端に第二ビット部を設け、第一のビット部又は第二のビット部を適宜現出させて使用するドライバーが提案されている。
【０００６】
特許文献２には、首部、基部及び収納凹部を総て同一形状にしたビット部材と、ビット部材の首部と同一形状の連結突部を有する把持柄部材とから構成され、首部の先端に連設された作用部及び首部に他のビット部材の収納凹部を被冠連結して１本の棒状のドライバーを形成する構成が提案されている。
【先行技術文献】
【特許文献】
【０００７】
【特許文献１】特開平９−２１６１６９号公報
【特許文献２】実開平５−１２０８０号公報
【発明の概要】
【発明が解決しようとする課題】
【０００８】
しかし、特許文献１に記載のドライバーは、多くとも第一のビット部及び第二のビット部の両端を異なる形状とした形態の４種類の先端形状にしか対応できず、多くの部品からなる機械を組み立て又は分解する作業において便利さに欠ける。また、連結体を使用する必要があり、構造が複雑である。
【０００９】
特許文献２に記載のドライバーは、基部の底面に収納凹部が設けられているため、把柄部材も特殊な形状となり、汎用性に劣る。また、ネジの頭部に溝が形成されておらず、ネジの頭部に嵌合させて締結するネジに対応する作用部が凹部であるビットには適用することができない。
【００１０】
本発明は、１本の工具で複数種のネジの締結に対応可能であり、簡単な構造で、保管及び携帯に便利な複数種対応締結工具及びビットを提供することを目的とする。
【課題を解決するための手段】
【００１１】
本発明に係る複数種対応締結工具は、先端がネジの頭に嵌合する形状の作業部及び後端が前記作業部と同種の形状のものを収容可能な収容部を設けた軸部を有し、縦列に着脱自在に連接できる複数個のビットと、前記軸部に嵌合する装着部を有し、前記ビットを装着するハンドルと、を備える。
【００１２】
本発明に係るビットは、先端がネジの頭に嵌合する形状の作業部及び後端が前記作業部と同種の形状のものを収容可能な収容部を設けた軸部を有し、縦列に着脱自在に連接できる。
【発明の効果】
【００１３】
本発明は、１本の工具で複数種のネジの締結に対応可能であり、簡単な構造で、保管及び携帯に便利な複数種対応締結工具及びビットを提供することができる。
【図面の簡単な説明】
【００１４】
【図１】実施形態１に係る複数種対応締結工具の一例の概略形状を示す斜視図である。
【図２】図１に示す複数種対応締結工具の構造を説明するための分解図である。
【図３】実施形態１に係るビットの一例の概略形状を示す斜視図である。
【図４】実施形態２に係る複数種対応締結工具の一例を示し、その構造を説明するための分解図である。
【図５】実施形態３に係る複数種対応締結工具の一例を示し、（ａ）は筒状カバー装着前、（ｂ）は筒状カバー装着後を示す図である。
【図６】実施形態３に係るビットの一例の概略形状を示す斜視図である。
【図７】複数種対応締結工具の使用方法を説明するための図である。
【図８】従来の締結工具の概略図であり、（ａ）は複数本の締結工具、（ｂ）は複数種のビットを有する締結工具である。
【発明を実施するための形態】
【００１５】
本発明について実施形態を示して詳細に説明するが、本発明はこれらの記載に限定して解釈されない。また、発明の効果を奏する限り、実施形態を変形してもよい。なお、本明細書及び図面において符号が同じ構成要素は、相互に同一のものを示すものとする。
【００１６】
（実施形態１）
図１は、実施形態１に係る複数種対応締結工具の一例の概略形状を示す斜視図である。図２は、図１に示す複数種対応締結工具の構造を説明するための分解図である。実施形態１に係る複数種対応締結工具１００は、先端がネジの頭に嵌合する形状の作業部１ａ、１ｂ、１ｃ１、１ｃ２、１ｅ及び後端が作業部１ａ、１ｂ、１ｃ１、１ｃ２、１ｅと同種の形状のものを収容可能な収容部３を設けた軸部２を有し、縦列に着脱自在に連接できる複数個のビット１０ａ、１０ｂ、１０ｃ１、１０ｃ２、１０ｅと、軸部２に嵌合する装着部９ａを有し、ビット１０ａ、１０ｂ、１０ｃ１、１０ｃ２、１０ｅを装着するハンドル９と、を備える。
【００１７】
締結作業の対象となるネジには、ネジ、ボルト、ナットなどの各種締結用部品が含まれる。作業部１ａ、１ｂ、１ｃ１、１ｃ２、１ｅは、締結作業時に、ネジの頭に嵌合される部分である。ここで、ネジの頭とは、締結作業において締結工具の先端部分と嵌合される部分をいい、ネジの頭部に形成された溝を含む。
【００１８】
作業部１ａ、１ｂ、１ｃ１、１ｃ２、１ｅの形状は、ネジの頭に嵌合する形状であり、例えば、ねじの頭部に形成された溝が十字である十字穴付きネジに対応するプラス形１ａ、すりわり付きネジに対応するマイナス形１ｂ、六角穴付きネジに対応する六角形１ｃ１、１ｃ２、ヘクスグローブ穴付きネジに対応するヘクスグローブ形１ｅ、六角ボルトに対応する六角穴形（不図示）が挙げられる。また、図２に示すような、サイズの異なる六角形の作業部を有したビット１０ｃ１、１０ｃ２のように相似形の断面形状を有するビットを含めることで、六角穴付きネジ、ヘクスグローブ穴付きネジ、六角ボルトなどの穴又は頭部のサイズが異なるネジに対応できるドライバーとすることができる。なお、本実施形態に係る複数種対応締結工具では、作業部の形状に限定されない。また、ビットの個数に限定されない。用途に応じて所望の作業部の形状を有するビットを適宜選択して使用することができる。
【００１９】
収容部３は、他のビットの作業部１ａ、１ｂ、１ｃ１、１ｃ２、１ｅを収容する部分である。収容部３に他のビットの作業部１ａ、１ｂ、１ｃ１、１ｃ２、１ｅを順次差し込むことで、縦列に連接することができ、複数個のビットが１本の棒状となる。
【００２０】
作業部１ａ、１ｂ、１ｃ１、１ｃ２、１ｅの軸部２側の付け根の形状は、収容部３の形状と嵌合する形状を有している。縦列に連接するビット同士を回転不能な状態とすることができる。作業部の軸部側の付け根の形状は、本実施形態では限定されないが、例えば、軸方向に垂直な断面の形状が、六角形、五角形、四角形、三角形、楕円形、円形である。ただし、円形である場合には、ボールロックなどの固定手段を形成する必要がある。
【００２１】
ビット同士の接続手段は、本発明の効果を奏する限り、本実施形態では制限されないが、好ましくは、作業部１ａ、１ｂ、１ｃ１、１ｃ２、１ｅと収容部３とが異なる磁極を有し、収容部と他のビットの作業部とが相互の磁極によって接続する接続手段である。作業部の磁極をＮ極とした場合は、収容部の磁極をＳ極とする。または、作業部の磁極をＳ極とした場合は、収容部の磁極をＮ極とする。特別な機構を設けることなく、ビット同士を着脱自在に接続することができる。また、磁性を有するネジの取り扱いが容易になる。
【００２２】
軸部２は、ビット１０ａ、１０ｂ、１０ｃ１、１０ｃ２、１０ｅの基本となる部分であり、先端に作業部１ａ、１ｂ、１ｃ１、１ｃ２、１ｅ及び後端に収容部３を有している。また、使用時にハンドル９の装着部９ａに装着される部分である。軸部２の外形は、柱状であることが好ましい。また、軸部２の収容部３側の形状は、ハンドル９の装着部９ａと嵌合する形状である。例えば、六角形、五角形、四角形、三角形、楕円形、円形である。ただし、円形である場合には、ボールロックなどの固定手段を形成する必要がある。ハンドル９とビット１０ａ、１０ｂ、１０ｃ１、１０ｃ２、１０ｅとを回転不能な状態にすることができる。また、軸部２には、ハンドル９と接続強度を高めることを目的として周回溝の形成、表面処理などの処理を施すことができる。さらに、公知のドライバービットの外寸法規格と同一にすれば、手持ちのハンドルに装着して使用することができ、使用範囲を拡げることができる。
【００２３】
ハンドル９は、主に作業者が把持する部分である。ハンドル９の先端に設けられた装着部９ａは、ビットの軸部２に嵌合する形状を有する凹部である。縦列に連接した複数個のビット１０ａ、１０ｂ、１０ｃ１、１０ｃ２、１０ｅのうち、最後端のビットの軸部２を装着部９ａに装着し、図１に示すように１本の締結工具として使用することができる。装着部９ａにはボールロックなどの公知のロック機構を設けてもよい。本実施形態では、ハンドル９の形状及び種類に限定されず、公知のビットを差し替えて使用可能な各種ハンドルを使用することができる。また、公知のビットホルダーと組み合わせて使用してもよい。
【００２４】
図３は、実施形態１に係るビットの一例の概略形状を示す斜視図である。ビット１０ａ、１０ｂ、１０ｃ１、１０ｃ２、１０ｅは、先端がネジの頭に嵌合する形状の作業部１ａ、１ｂ、１ｃ１、１ｃ２、１ｅ及び後端が作業部１ａ、１ｂ、１ｃ１、１ｃ２、１ｅと同種の形状のものを収容可能な収容部３を設けた軸部２を有し、縦列に着脱自在に連接できる。ビットの種類は、例えば、図３に示すように、十字穴付きネジに対応するプラス形１ａの作業部を有するプラスビット１０ａ、すりわり付きネジに対応するマイナス形１ｂの作業部を有するマイナスビット１０ｂ、六角穴付きネジに対応する六角形１ｃ１、１ｃ２の作業部を有する六角穴ビット１０ｃ１、１０ｃ２、ヘクスグローブ穴付きネジに対応するヘクスグローブ形１ｅの作業部を有するヘクスグローブビット１０ｅ、六角ボルトに対応する六角穴形の作業部を有する六角ビット（不図示）が挙げられる。本実施形態ではビットの種類に限定されない。用途に応じて所望のビットを適宜選択することができるため、使用頻度の高いビットを選択すれば、交換作業を容易にすることができる。公知のドライバービットの外寸法規格と同一にすれば、手持ちのハンドルに装着して使用することができ、使用範囲を拡げることができる。
【００２５】
実施形態１に係るビットは、作業部１ａ、１ｂ、１ｃ１、１ｃ２、１ｅと収容部３とが異なる磁極を有することが好ましい。特別な機構を設けることなく、ビット同士を着脱自在に接続することができる。
【００２６】
（実施形態２）
図４は、実施形態２に係る複数種対応締結工具の一例を示し、その構造を説明するための分解図である。実施形態２に係る複数種対応締結工具２００は、収容部３ａ、３ｂ、３ｃ、３ｄ、３ｅが、特定の作業部１ａ、１ｂ、１ｃ、１ｄ、１ｅに嵌合する形状である。例えば、図３に示すようにプラスビット２０ａ、マイナスビット２０ｂ、六角穴ビット２０ｃ、六角ビット２０ｄ及びヘクスグローブビット２０ｅの順に縦列に連接する場合について説明する。プラスビット２０ａの収容部３ａをマイナスビット２０ｂの作業部１ｂに嵌合する横断面形状がマイナス形の凹部とする。マイナスビット２０ｂの収容部３ｂは、六角穴ビット２０ｃの作業部１ｃに嵌合する横断面形状が六角形の凹部とする。六角穴ビット２０ｃの収容部３ｃは、六角ビット２０ｄの作業部１ｄに嵌合する横断面形状が六角形の凸部とする。六角ビット２０ｄの収容部３ｄは、ヘクスグローブビット２０ｅの作業部１ｅに嵌合する横断面形状がヘクスグローブ形の凹部とする。最後に、ヘクスグローブビット２０ｅの収容部３ｅは、プラスビット２０ａの作業部１ａに嵌合する横断面形状がプラス形の凹部とする。
【００２７】
以上のように構成することによって、特別な機構を設けることなく、縦列に連接した複数個のビット２０ａ、２０ｂ、２０ｃ、２０ｄ、２０ｅ同士が回転不能となり、締結作業を確実に行うことができる。また、ビットの順番が確定するため、所望のビットを迅速に見つけ出すことができ、作業効率がより向上する。さらに、六角ビット２０ｄのように、六角ボルトなどのネジの頭部に嵌合させる作業部１ｄが凹状であるビットを含む場合において、隣接するビットである六角穴ビット２０ｃの収容部３ｃを凸部とすることで縦列に連接することが可能となる。なお、本実施形態では、作業部の形状、組合せ及び順番に限定されない。用途に応じて、使用頻度の高い作業部の形状を選択したビットのセットとすることで、作業効率をより向上させることができる。
【００２８】
実施形態２に係る複数種対応ドライバーでは、軸部２、ハンドル９などの前記構成以外は実施形態１と同様の構成とする。さらに、ビット同士の接続手段は、実施形態１と同様とすることができる。
【００２９】
（実施形態３）
図５は、実施形態３に係る複数種対応締結工具の一例を示し、（ａ）は筒状カバー装着前、（ｂ）は筒状カバー装着後を示す図である。実施形態３に係る複数種対応締結工具３００は、ビット３０ａ、３０ｂ、３０ｃ、３０ｄ、３０ｅが、軸部２の側面に出入り自在な突起部５を有し、連接した複数のビット３０ａ、３０ｂ、３０ｃ、３０ｄ、３０ｅを収容し、突起部５と嵌合する掛止部６ａを有する筒状カバー６を更に備える。ビット同士を、実施形態１と同様に磁力を利用した接続手段で接続し、更に筒状カバー６を用いることで、接続部を補強することができるため、より安定した作業を行うことができる。また、ビットが磁力を有していない場合でも、筒状カバー６で全体を覆うことで、接続部を固定することができるため、複雑な構造とすることなく１本のドライバーとして安定した作業を行うことができる。
【００３０】
図６は、実施形態３に係るビットの一例の概略形状を示す斜視図である。実施形態３に係るビットは、軸部２の側面に出入り自在な突起部５を有する。筒状カバー６と組み合わせて使用することができ、複雑な構造とすることなく接続部の補強及び固定をすることができるという効果を奏する。
【００３１】
図７は、複数種対応締結工具の使用方法を説明するための図である。ここで、図７を用いて、実施形態２の複数種対応締結工具について使用方法を説明するが、これに限定されず、他の実施形態についても同様に使用することができる。
【００３２】
十字穴付きネジの締結作業から、すりわり付きネジの締結作業に変更する場合について図７を用いて説明する。ビットの種類は、実施形態２で使用した図４に示すプラスビット２０ａ、マイナスビット２０ｂ、六角穴ビット２０ｃ、六角ビット２０ｄ及びヘクスグローブビット２０ｅの５種類であり、縦列の順番を記載した順とする。まず、プラスビット２０ａの作業部１ａが露出したプラスドライバーとなっている（ａ）。次いで、縦列に連接したビット２０ａから２０ｅまでとハンドル９とを取り外す（ｂ）。プラスビット２０ａをマイナスビット２０ｂから外し、所望のマイナスビット２０ｂの作業部１ｂを露出させる（ｃ）。プラスビット２０ａの作業部１ａを、最後端のヘクスグローブビット２０ｅの収容部３ｅに収容する（ｄ）。縦列に連接したマイナスビット２０ｂからプラスビット２０ａまでを、ハンドル９の装着部９ａに装着する（ｅ）。所望のマイナスビット２０ｂの作業部１ｂが露出したマイナスドライバーとなる（ｆ）。以上のように、本発明に係る複数種対応締結工具は、１本の工具で複数種のネジの締結に対応可能であり、簡単な構造で、保管及び携帯に便利である。
【符号の説明】
【００３３】
１００  複数種対応締結工具
１ａ  プラス形の作業部
１ｂ  マイナス形の作業部
１ｃ１、１ｃ２  六角形の作業部
１ｅ  ヘクスグローブ形の作業部
２  軸部
３  収容部
３ａ  プラスビット２０ａの収容部
３ｂ  マイナスビット２０ｂの収容部
３ｃ  六角穴ビット２０ｃの収容部
３ｄ  六角ビット２０ｄの収容部
３ｅ  ヘクスグローブビット２０ｅの収容部
５  突起部
６  筒状カバー
６ａ  掛止部
９  ハンドル
９ａ  装着部
１０ａ、２０ａ  プラスビット
１０ｂ、２０ｂ  マイナスビット
１０ｃ１、１０ｃ２、２０ｃ  六角穴ビット
１０ｅ、２０ｅ  ヘクスグローブビット
２０ｄ  六角ビット
【図１】
2011140087.tif 000003
【図２】
2011140087.tif 000004
【図３】
2011140087.tif 000005
【図４】
2011140087.tif 000006
【図５】
2011140087.tif 000007
【図６】
2011140087.tif 000008
【図７】
2011140087.tif 000009
【図８】
2011140087.tif 000010